(57)【要約】【課題】引出し式の貯蔵容器を前後方向に案内するスライドレール機構を備えたものにあって、貯蔵容器の左右方向のがたつきを抑えることができる冷蔵庫を提供する。【解決手段】実施形態の冷蔵庫は、貯蔵室と、前記貯蔵室内に収容される引出し式の貯蔵容器と、前記貯蔵容器を前後方向に出し入れ可能に案内するスライドレール機構とを備え、前記スライドレール機構は、前記貯蔵室の内側壁に取付けられた固定レールと、前記固定レールに対して第１ローラを介して前後方向にスライド移動可能な中間レールと、前記貯蔵容器と共に移動するものであって前記中間レールに対して第２ローラを介して前後方向にスライド移動可能な可動レールとを備えると共に、前記中間レールには、前記可動レールの左右方向のがたつきを抑制する第１のリテーナが設けられている。【選択図】図１
2018071900.tif 000002
【特許請求の範囲】
【請求項１】
貯蔵室と、
前記貯蔵室内に収容される引出し式の貯蔵容器と、
前記貯蔵容器を前後方向に出し入れ可能に案内するスライドレール機構とを備え、
前記スライドレール機構は、
前記貯蔵室の内側壁に取付けられた固定レールと、
前記固定レールに対して第１ローラを介して前後方向にスライド移動可能な中間レールと、
前記貯蔵容器と共に移動するものであって前記中間レールに対して第２ローラを介して前後方向にスライド移動可能な可動レールとを備えると共に、
前記中間レールには、前記可動レールの左右方向のがたつきを抑制する第１のリテーナが設けられている冷蔵庫。
【請求項２】
前記第１のリテーナは、前記中間レールの前端部分に設けられた取付部に対して、前方から着脱可能に係合して取付けられる請求項１記載の冷蔵庫。
【請求項３】
前記中間レールの前記第１のリテーナの後方の位置であって、少なくとも前後の２箇所に、該中間レールの前記固定レールに対する左右方向のがたつきを抑制する第２のリテーナが設けられている請求項１又は２記載の冷蔵庫。
【請求項４】
前記固定レールには、前記中間レールの移動時に該中間レールの平面部を相対的に摺動して間隔を確保するレールスペーサが設けられている請求項１から３のいずれか一項に記載の冷蔵庫。
【発明の詳細な説明】
【技術分野】
【０００１】
本発明の実施形態は、冷蔵庫に関する。
【背景技術】
【０００２】
一般に冷蔵庫においては、野菜室や冷凍室などの貯蔵室に引出し式の貯蔵容器を備えたものがある。この場合、引出し式の貯蔵容器は、扉の裏面側に連結され、スライドレール機構により、前後方向に出し入れ可能に案内される（例えば、特許文献１参照）。前記スライドレール機構は、貯蔵室の内側壁に固定的に設けられた固定レールと、貯蔵容器（扉）側に設けられた可動レールとを備えている。また、それらの間に中間レールを備える構成のものもある。前記各レールは、ローラを介して前後方向にスライド移動可能に連結される。
【先行技術文献】
【特許文献】
【０００３】
【特許文献１】特開２００９−３０８７５号公報
【発明の概要】
【発明が解決しようとする課題】
【０００４】
上記のようなスライドレール機構にあっては、レール間を、ローラを介してスライド移動可能に連結する場合、例えば扉の引出し時の貯蔵室に対する貯蔵容器の左右方向のがたつきが比較的大きくなる問題があった。
【０００５】
そこで、引出し式の貯蔵容器を前後方向に案内するスライドレール機構を備えたものにあって、貯蔵容器の左右方向のがたつきを抑えることができる冷蔵庫を提供する。
【課題を解決するための手段】
【０００６】
実施形態の冷蔵庫は、貯蔵室と、前記貯蔵室内に収容される引出し式の貯蔵容器と、前記貯蔵容器を前後方向に出し入れ可能に案内するスライドレール機構とを備え、前記スライドレール機構は、前記貯蔵室の内側壁に取付けられた固定レールと、前記固定レールに対して第１ローラを介して前後方向にスライド移動可能な中間レールと、前記貯蔵容器と共に移動するものであって前記中間レールに対して第２ローラを介して前後方向にスライド移動可能な可動レールとを備えると共に、前記中間レールには、前記可動レールの左右方向のがたつきを抑制する第１のリテーナが設けられている。
【図面の簡単な説明】
【０００７】
【図１】一実施形態を示すもので、冷蔵庫の斜視図
【図２】スライドレール機構の左側部分の組付け状態の下方からの斜視図
【図３】スライドレール機構の左側部分の分解斜視図
【図４】スライドレール機構の左側部分の縦断正面図（ａ）及びそのうち第１のリテーナ部分の拡大図（ｂ）
【図５】中間レールの図３とは反対側の面を示す斜視図
【図６】第１のリテーナを示す正面図（ａ）及びそのＡ−Ａ線に沿う縦断平面図（ｂ）
【図７】中間レールにおける第２のリテーナの取付構造を示すもので、左側面側（ａ）及び右側面側（ｂ）の拡大斜視図
【発明を実施するための形態】
【０００８】
以下、家庭用冷蔵庫に適用した一実施形態について、図面を参照しながら説明する。まず、図１を参照して、本実施形態に係る冷蔵庫１の全体構成について簡単に述べる。この冷蔵庫１は、断熱箱体からなる冷蔵庫本体２内を、断熱仕切壁により複数に区画することにより、複数の貯蔵室を備えて構成されている。詳しく図示はしないが、前記断熱箱体は、鋼板製の外箱と、プラスチック製の内箱とを結合し、それらの形成する空間内に真空断熱パネル等の断熱材を充填して構成されている。
【０００９】
前記複数の貯蔵室として、本実施形態では、冷蔵庫本体２内には、上段から順に、冷蔵室３、野菜室４、製氷室５及び上段冷凍室６、下段冷凍室７が設けられている。そのうち製氷室５及び上段冷凍室６は、左右に位置して設けられている。前記冷蔵室３の前面部には、ヒンジ開閉式いわゆる観音開き式の左右の断熱扉８、９が設けられている。前記野菜室４の前面部には、引出し式の断熱扉１０が設けられ、この断熱扉１０の背面部には、貯蔵容器１１が連結されている。
【００１０】
製氷室５の前面には、貯氷容器（図示せず）が連結された引出し式の断熱扉１２が設けられている。上段冷凍室６の前面には、貯蔵容器（図示せず）が連結された引出し式の断熱扉１３が設けられている。下段冷凍室７の前面には、貯蔵容器（図示せず）が連結された引出し式の断熱扉１４が設けられている。前図示はしないが、前記製氷室５内には、自動製氷装置が設けられている。さらに、冷蔵庫本体１内には、周知の冷凍サイクルや冷機循環機構等からなる冷却機構が組込まれている。
【００１１】
そして、上記貯蔵室のうち野菜室４には、貯蔵容器１１を前後方向に出し入れ可能に案内するスライドレール機構１５が設けられる。このとき、野菜室４の前面の断熱扉１０の背面側には、全体としては図示しないが、貯蔵容器１１を支持するための支持枠が、コ字状をなすように設けられている。貯蔵容器１１は、その支持枠に対して上方から着脱可能に嵌め込まれて保持されるようになっている。前記支持枠のうち、貯蔵容器１１の左右部において前後方向に延びる側部アーム部分が、後述するスライドレール機構１５の可動レールを兼用するようになっている。
【００１２】
スライドレール機構１５は、野菜室４内の左右の側壁部において、左右対称的に設けられている。以下、それらを代表させて、野菜室４内の図で左側に配置されるスライドレール機構１５について、図２〜図７も参照して説明する。尚、図１に示すように、前記下段冷凍室７にも、貯蔵容器を前後方向に出し入れ可能に案内するスライドレール機構１５が設けられる。下段冷凍室７に設けられるスライドレール機構については、野菜室４内のスライドレール機構１５と同様の機構を採用しても良いし、シングルレール方式のスライドレール機構を採用しても良い。
【００１３】
図２〜図４に示すように、スライドレール機構１５は、野菜室４の内側壁（左側壁）に取付けられた固定レール１６と、この固定レール１６に対して第１ローラ１９を介して前後方向にスライド移動可能な中間レール１７と、この中間レール１７に対して第２ローラ２０を介して前後方向にスライド移動可能な可動レール１８とを備えて構成される。これら各レール１６〜１８について、以下順に述べる。尚、図示はしないが、前記可動レール１８の後端部と、右側のスライドレール機構１５の可動レールの後端部とが、左右方向延びる連結部により連結されることにより、前記支持枠が構成されるようになっている。
【００１４】
まず、前記固定レール１６は、図３、図４（ａ）に示すように、金属板から、板面を左右方向に向けた状態で前後方向に延びる形状をなしている。このとき、図４（ａ）に示すように、固定レール１６は、前後方向に見て、全体として断面が上下方向に延びている。より具体的には、固定レール１６は、前方から見て、下半部が垂直に立上がるようにして、野菜室４の内側壁に沿って配置され、上下方向中間部で右側にほぼ直角に折曲げられた後、すぐに上方に直角に折曲げられて、上半部が上方に延びて立上がる形態とされている。従って、固定レール１６は、上下方向中間部に段部を有した形態をなし、上半部は、野菜室４の内側壁から若干だけ離れた形態とされる。
【００１５】
図２にも示すように、この固定レール１６の下半部の野菜室４内を向く内面側（図で右面部）には、前端部に位置して、中間レール１７をスライド可能に支持するための前記第１ローラ１９が設けられている。そして、図３に示すように、固定レール１６の下半部の右側面には、やや前寄り部分に位置して、前部ストッパ部２１が設けられ、後端部に位置して、後部ストッパ部２２が設けられている。これら前部ストッパ部２１及び後部ストッパ部２２は、後述する中間レール１７の突出部に対応しており、該中間レール１７の前後方向の移動範囲を規制するようになっている。
【００１６】
また、図４にも示すように、固定レール１６の右側面下辺部には、前部ストッパ部２１と後部ストッパ部２２との間に位置して、Ｌ字状をなすように折曲辺部１６ａが設けられ、その折曲辺部１６ａ内に、前後方向に細長く延びるキャビリテーナ２３が上方から嵌合固定されている。このキャビリテーナ２３は、合成樹脂からなり、全体として断面四角形の棒状をなし、その上面に、正面凹形状をなすように、スライド溝部２３ａが形成されている。キャビリテーナ２３の上面は、後述する中間レール１７の第３ローラが相対的に転動するようになっていると共に、中間レール１７の突出部の突片がスライド溝部２３ａに係合することにより、中間レール１７を前後方向にガイドする。
【００１７】
この固定レール１６の上半部の前端部には、合成樹脂製のレールスペーサ２４が取付けられている。このレールスペーサ２４は、図４に示すように、後述する中間レール１７の下半部の左側面の平面部に当接し、相対的に摺動することにより、中間レール１７との間の左右方向の間隔を確保する機能を果たす。更に、固定レール１６の後部部の下部には、後述する可動レール１８の後部載置片部が前後方向に移動可能に載置される可動レールガイド部２５が、正面から見て右側に開放するレール状をなすように、前後方向に延びて設けられている。
【００１８】
次に、前記中間レール１７は、図３、図５に示すように、金属板から、全体として、板面を左右方向に向けた状態で前後方向に延びる形状をなしている。このとき、図４（ａ）に示すように、中間レール１７の下半部は、前後方向に見て、左方に開口した薄型のコ字状に構成されたコ字状部とされ、中間レール１７の上半部が、そのコ字状部の上端の右辺部から上方に立上がる形態とされている。尚、前記コ字状部の上辺部及び下辺部の水平部分を、夫々上部水平部１７ａ及び下部水平部１７ｂと称する。図４（ａ）に示すように、下部水平部１７ｂは、前記第１ローラ１９上に載置され、中間レール１７の前後方向の移動に伴い、下部水平部１７ｂの下面を第１ローラ１９が相対的に転動するようになっている。
【００１９】
この中間レール１７は、下半部（コ字状部）が、前記固定レール１６の上半部の右側に、隙間を介して配置され、上半部が野菜室４の内側壁に近い側に配置される。図５に示すように、中間レール１７の前記コ字状部の左側面は、前記固定レール１６のレールスペーサ２４の右側面を相対的に摺動する滑らかな平面部１７ｃとされている。図４（ａ）にも示すように、この中間レール１７の前端部の上部の右側面には、後述する可動レール１８をスライド可能に支持するための前記第２ローラ２０が設けられている。尚、図３に示すように、中間レール１７の前記第２ローラ２０の近傍部分には、ストッパ１７ｅが例えば切起こしにより形成されている。
【００２０】
また、図３〜図５に示すように、この中間レール１７には、後端部の下辺部から下方に突出する突出部３０が前後方向に延びて一体的に設けられている。図５に示すように、この突出部３０の左側面には、前記固定レール１６のキャビリテーナ２３上を転動する第３ローラ３１が設けられている。突出部３０の前後部は、夫々左側に直角に折曲げられ、前端部が前部係止部３０ａとされ、後部係止部３０ｂとされている。突出部３０の下辺には、前記キャビリテーナ２３のスライド溝部２３ａに係合して前後方向にガイドされる突片３０ｃが設けられている。
【００２１】
これにて、中間レール１７は、固定レール１６に対し、下部水平部１７ｂの下面が第１ローラ１９上を相対的に転動すると共に、第３ローラ３１がキャビリテーナ２３上を転動することにより、前後方向にスムーズに移動される。このとき、突出部３０の突片３０ｃがスライド溝部２３ａに沿って移動すると共に、前記レールスペーサ２４が平面部１７ｃを相対的に摺動することにより、左右方向のがたつきなく移動される。また、固定レール１６に対する中間レール１７の移動可能な範囲は、前部係止部３０ａが前部ストッパ部２１に当接する位置と、後部係止部３０ｂが後部ストッパ部２２に当接する位置との間に規制されるようになっている。
【００２２】
そして、本実施形態では、図４（ｂ）等にも示すように、中間レール１７の前端部には、上部水平部１７ａのやや下方の右側面側に位置して、可動レール１８の左右方向のがたつきを抑制しながら前後方向に案内するための第１のリテーナ２６が設けられている。図６に示すように、この第１のリテーナ２６は、合成樹脂材料からなり、正面から見てほぼＨ型をなすような小型のブロック状をなしており、上面側に、前後方向に延び後述する可動レール１８の下辺縁部１８ａが差込まれる上部溝２６ａを有している。
【００２３】
また、図６（ｂ）等に示すように、第１のリテーナ２６には、中間レール１７の前端縁部が差込まれる差込み溝２６ｂが形成されていると共に、その差込み溝２６ｂ側に突出する爪を有する取付爪部２７が一体に形成されている。取付爪部２７は、差込み溝２６ｂを開く或いは狭める方向に弾性変形可能とされている。これに対し、図３、図５に示すように、中間レール１７には前端部分に位置して取付部としての前後方向に長い長方形状の取付穴１７ｄが形成されている。第１のリテーナ２６は、中間レール１７の前端縁部が差込み溝２６ｂ内に差込まれるようにしながら、取付穴１７ｄに対し取付爪部２７を係合させることにより、前方から着脱可能に取付けられている。
【００２４】
更に、中間レール１７には、図４や図７にも示すように、上部水平部１７ａの下面側（左側面側）の、前後方向中間部及び後端部寄り部分の２箇所に位置して、固定レール１６に対する中間レール１７の左右方向のがたつきを防止するための第２のリテーナ２８が取付けられる。これら第２のリテーナ２８は、合成樹脂材料からなり、正面から見て下向きのコ字状（Ｃ字状）をなすような小型のブロック状をなしており、下面側に、固定レール１６の上辺縁部１６ｂが下方から差し込まれる凹部２８ａを有している。また、図７（ｂ）に示すように、第２のリテーナ２８の右側面部には、抜止め用の凸部２８ｂが一体に設けられている。
【００２５】
これに対し、中間レール１７には、図４（ｂ）、図５、図７に示すように、前記各第２のリテーナ２８が取付けられる嵌合保持部２９が設けられている。この嵌合保持部２９は、中間レール１７の上部水平部１７ａの左端から上方に立上がる直ぐ上部の部分を四角く下向きに切起こして切起し部２９ａを設けると共に、上部水平部１７ａの右端から少し下の部分を四角く左向きに切起こして抜止片２９ｂを設けて構成される。
【００２６】
これにより、嵌合保持部２９は、切起し部２９ａと、上部水平部１７ａと、上部水平部１７ａの右端から立下がる部分と、抜止片２９ｂとから、正面から見て、下面の左側が開口しているほぼ角筒状に設けられる。またこのとき、図７（ｂ）に示すように、抜止片２９ｂの切起しにより形成された孔部分には、抜止め部２９ｃが設けられている。この嵌合保持部２９に対し、第２のリテーナ２８は、前方から嵌め込まれるように取付けられ、下方への抜止め状態に支持されると共に、凸部２８ｂが抜止め部２９ｃに係止して前方への抜止め状態とされる。尚、図示はしないが、右側に設けられるスライドレール機構については、第２のリテーナ２８を、後方から嵌合保持部２９に嵌合させて取付ける構成とすることもできる。これにより、部品の共通化を図ることができる。
【００２７】
次に、前記可動レール１８は、図３等に示すように、金属板から、全体として、板面を左右方向に向けた状態で前後方向に延びる形状をなしている。また、この可動レール１８の前端部には、前記断熱扉１０の裏面側に取付けられる前部連結板部３２が、ほぼ直角に折曲げられた形態で一体に設けられている。図示はしないが、上記したように、可動レール１８の後端部と、右側の可動レールの後端部とは、左右方向延びる連結部により連結され、貯蔵容器１１を保持する支持枠が構成される。
【００２８】
この可動レール１８の上辺部には、図４に示すように、左側に直角に折曲げられた後更に下向きに折曲げられた形態の上部ガイドレール部３３が前後方向ほぼ全体に渡って一体に設けられている。また、図３に一部示すように、可動レール１８の後端部の左側面には、第４ローラ３４が設けられている。更に、可動レール１８の前後方向中間やや後ろ寄り部分には、係止片３５が左側面側に切起こされるように設けられている。
【００２９】
可動レール１８は、上部ガイドレール部３３が、前記第２ローラ２０上に載置されると共に、第４ローラ３４が前記中間レール１７の上部水平部１７ａの上面に載置されるようにして、中間レール１７の上半部の右側に配置される。この状態では、前記第２ローラ２０が上部ガイドレール部３３の下面を相対的に転動し、また、第４ローラ３４が上部水平部１７ａの上面を転動することにより、可動レール１８は前後方向に案内される。この場合、前記係止片３５が前記ストッパ１７ｅ（図３参照）に当接することにより、前方への引出し量が規制される。尚、係止片３５を、ストッパ１７ｅを乗り越えさせるようにすることにより、可動レール１８の取外しが可能とされる。
【００３０】
そしてこのとき、図４に示すように、可動レール１８の後端部を除く下辺縁部１８ａが、前記第１のリテーナ２６の上部溝２６ａに上から差込まれることによって、可動レール１８の前後方向の移動時における左右方向のがたつきが抑制されるようになっている。尚、可動レール１８の後端部には、下方に膨出する後部膨出部３６が設けられ、可動レール１８（貯蔵容器１１）の野菜室４内への収納状態で、後部膨出部３６の下端の後部載置片部３６ａが、前記可動レールガイド部２５上に前後方向に移動可能に載置されるようになっている。
【００３１】
上記した構成のレール機構１６において、レール１６、１７、１８が組合わされた状態では、図２、図４に示すように、野菜室１０の内側壁に固定レール１６が固定的に取付けられ、この固定レール１６に対し、中間レール１７が前後方向にスライド移動可能に支持される。このとき、固定レール１６の前端に設けられた第１ローラ１９上に、中間レール１７の下部水平部１７ｂが載置される。また、中間レール１７の後部の突出部３０に設けられた第３ローラ３１が、固定レール１６のキャビリテーナ２３上を転動すると共に、突片３０ｃがキャビリテーナ２３のスライド溝部２３ａに係合される。
【００３２】
これに加え、中間レール１７に２箇所に設けられた第２のリテーナ２８の凹部２８ａに、固定レール１６の上辺縁部１６ｂが下方から差込まれる。更に、固定レール１６の前端部に設けられたレールスペーサ２４が、中間レール１７の平面部１７ｃに接触し、相対的に摺動する。これにて、中間レール１７は、固定レール１６に対し、第１ローラ１９や第３ローラ３１によって、前後方向にスムーズに移動されるようになると共に、レールスペーサ２４や第２のリテーナ２８等によって、左右方向のがたつきが抑えられる。また、固定レール１６の前部ストッパ部２１に突出部３０の前部係止部３０ａが当接すること、及び、後部ストッパ部２２に突出部３０の後部係止部３０ｂが当接することにより、中間レール１７の前後方向の移動範囲が規制される。
【００３３】
そして、中間レール１７に対し、可動レール１８ひいては貯蔵容器１１が前後方向にスライド移動可能に支持される。このとき、可動レール１８の上部ガイドレール部３３が、中間レール１７の前端部の第２ローラ２０上に載置され、これと共に、可動レール１８の第４ローラ３４が、中間レール１７の上部水平部１７ａの上面に載置される。さらに、可動レール１８の下辺縁部１８ａが、中間レール１７の第１のリテーナ２６の上部溝２６ａに上から差込まれる。
【００３４】
これにより、可動レール１８は、中間レール１７に対し、第２ローラ２０や第４ローラ３４によって、前後方向にスムーズに移動されるようになると共に、第１のリテーナ２６により、左右方向のがたつきが抑えられる。また、可動レール１８の係止片３５がストッパ１７ｅに当接することにより、中間レール１７に対する前方への引出し量が規制される。尚、断熱扉１０が冷蔵庫本体２の前面に当接して閉塞されることにより、可動レール１８の後方への移動量が規制される。
【００３５】
このような実施形態によれば、次のような作用・効果を得ることができる。即ち、本実施形態のスライドレール機構１５においては、上記のように、固定レール１６に対して第１ローラ１９を介して中間レール１７が前後方向にスライド移動され、その中間レール１８に対して、第２ローラ２０を介して可動レール１８が前後方向にスライド移動される。このときの中間レール１７及び可動レール１８の移動、ひいては貯蔵容器１１の出し入れ作業は、弱い力でスムーズに行われる。また、このとき、ストッパや係止部等によって、中間レール１７及び可動レール１８の移動範囲（断熱扉１０ひいては貯蔵容器１１の引出し量）が規制されるようになる。
【００３６】
ここで、特に、中間レール１７の第２ローラ２０に対し、可動レール１８の上部ガイドレール部３３が載置されて前後方向に案内される構成より、比較的弱い操作力で、可動レール１８のスムーズな移動を果たすことが可能になる。但し、第２ローラ２０と上部ガイドレール部３３側との間には、クリアランスが必要なため、中間レール１７に対する可動レール１８の左右方向のがたつきが生ずる虞がある。
【００３７】
ところが、本実施形態では、中間レール１７に、可動レール１８の下辺縁部１８ａが差込まれてガイドされる第１のリテーナ２６を設けるようにした。これにより、貯蔵容器１１の出し入れに伴う、可動レール１８ひいては貯蔵容器１８の左右方向のがたつきを抑えることができる。この結果、ユーザにとって高品質感が得られるスライドレール機構１５を得ることができる。
【００３８】
特に本実施形態では、第１のリテーナ２６を、中間レール１７の前端部分に設けられた取付穴１７ｄに対して、前方から着脱可能に係合して取付けられる構成とした。これによれば、第１のリテーナ２６が中間レール１７の前端部分に設けられているので、貯蔵容器１１の引出しによって、中間レール１７を貯蔵室からやや引き出した状態とすれば、ユーザであっても、第１のリテーナ２６を中間レール１７から簡単に取外すことができる。尚、第１のリテーナ２６を取外すことにより、例えば中間レール１７に対する可動レール１８の取外しが容易になり、ひいては、スライドレール機構１５を分解して清掃したり点検（交換）したりすることが可能となる。
【００３９】
また、本実施形態では、中間レール１７に、該中間レール１７の固定レール１６に対する左右方向のがたつきを抑制するための第２のリテーナ２８を前後２箇所に設けるようにした。これによれば、固定レール１６に対する中間レール１７の左右方向のがたつきも抑制することができるので、ユーザにとってより一層の高品質感を得ることができる。
【００４０】
さらに本実施形態では、固定レール１６に、中間レール１７の移動時に該中間レール１７の平面部１７ｃを相対的に摺動して間隔を確保するレールスペーサ２４を設けるようにした。このレールスペーサ２４により、固定レール１６と中間レール１７との間で、接することなく間隔を確保することができ、摺動抵抗を小さく抑えることができ、固定レール１６に対する中間レール１７のより一層スムーズな移動を可能とすることができるものである。
【００４１】
このレールスペーサ２４が金属よりも柔らかい合成樹脂製であって、金属製の固定レール１５及び同じく金属製の中間レール１７との間に位置している。これにより、金属同士が擦れることによる異音の発生や、金属部分が変形することを防止することができる。
【００４２】
尚、上記実施形態では、第１のリテーナ２６、第２のリテーナ２８、レールスペーサ２４の全てを設けるようにしたが、第２のリテーナ２８及びレールスペーサ２４については、必要に応じて設ければ良く、少なくとも第１のリテーナ２６を設けることにより、所期の目的を達成することができる。第２のリテーナ２８については、３個以上設けるようにしても良い。第１のリテーナ２６、第２のリテーナ２８、レールスペーサ２４の形状や取付構造、設ける位置についても変更が可能である。
【００４３】
また、上記実施形態では、スライドレール機構として、固定レール、中間レール、可動レールの３つのレールを備えた場合を例に説明を行ったが、固定レール及び中間レールを兼用した形態の第１レールと、可動レールとの２つのレールからなるスライドレール機構にも適用することができる。更には、中間レールを複数備えた４つ以上のレールからなるスライドレール機構に適用してもよい。
【００４４】
その他、冷蔵庫の全体構成や、スライドレール機構を構成する各レールの形状や構造等についても、様々な変更が可能であることは勿論である。以上説明した実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
図面中、１は冷蔵庫、２は冷蔵庫本体、４は野菜室（貯蔵室）、７は下段冷凍室（貯蔵室）、１０、１４は断熱扉、１１は貯蔵容器、１５はスライドレール機構、１６は固定レール、１６ｂは上辺縁部、１７は中間レール、１７ｃは平面部、１７ｄは取付穴（取付部）、１８は可動レール、１９は第１ローラ、２０は第２ローラ、２４はレールスペーサ、２６は第１のリテーナ、２７は取付爪部、２８は第２のリテーナ、２９は嵌合保持部、３３は上部ガイドレールを示す。
【図１】
2018071900.tif 000003
【図２】
2018071900.tif 000004
【図３】
2018071900.tif 000005
【図４】
2018071900.tif 000006
【図５】
2018071900.tif 000007
【図６】
2018071900.tif 000008
【図７】
2018071900.tif 000009